(57)【要約】      （修正有）【課題】人員に係る履歴情報を時系列に従って配置した履歴図に表示された履歴情報のうちユーザ操作により選択された所望の履歴情報と同一又は類似した履歴情報を有する人員を容易に検索する情報処理装置及びプログラムを提供する。【解決手段】情報処理装置１は、人員に係る履歴情報を時系列に従って配置した履歴図を表示部１４に表示させる表示制御手段と、履歴図に表示された履歴情報のうち所望の履歴情報をユーザ操作に基づいて選択する選択手段としての操作部１２と、操作部１２により選択された履歴情報に基づいて履歴情報と同一又は類似する履歴情報を有する他の人員を検索する検索手段と、を備える。【選択図】図１
2018022254.tif 000002
【特許請求の範囲】
【請求項１】
人員に係る履歴情報を時系列に従って配置した履歴図を表示部に表示させる表示制御手段と、
前記履歴図に表示された履歴情報のうち所望の履歴情報をユーザ操作に基づいて選択する選択手段と、
前記選択手段により選択された前記履歴情報に基づいて該履歴情報と同一又は類似する履歴情報を有する他の人員を検索する検索手段と、
を備える情報処理装置。
【請求項２】
前記選択手段は、前記履歴図に設けられた検索領域に前記履歴情報をドラッグ＆ドロップすることで前記履歴情報を選択する請求項１に記載の情報処理装置。
【請求項３】
各々の履歴情報には、検索条件となる１以上の検索項目が設定され、
前記選択手段は、選択された前記履歴情報の中で更に検索項目をユーザ操作に基づいて選択し、
前記検索手段は、選択された前記検索項目に基づいて検索する請求項１又は２に記載の情報処理装置。
【請求項４】
前記表示制御手段は、前記検索手段により検索された検索結果を含む履歴図を前記表示部に表示させる請求項１から３のいずれか一項に記載の情報処理装置。
【請求項５】
前記検索手段は、複数の前記履歴情報が選択されると、複数の検索条件を生成し、生成された複数の検索条件に基づいて、複数の前記履歴情報と同一又は類似する履歴情報を有する他の人員を検索する請求項１から４のいずれか一項に記載の情報処理装置。
【請求項６】
前記選択手段は、前記検索手段により複数の検索条件が生成された場合、これらの検索条件に係る積集合を検索するか、和集合を検索するかをユーザ操作に基づいて選択する請求項５に記載の情報処理装置。
【請求項７】
前記履歴情報は人員が経験した任務情報と任務を経験した期間の長さ情報とを含み、
前記履歴図は前記履歴情報のそれぞれを示す領域が前記期間の長さに対応した大きさで表現されていることを特徴とする請求項１から６のいずれか一項に記載の情報処理装置。
【請求項８】
コンピュータを、
人員に係る履歴情報を時系列に従って配置した履歴図を表示部に表示させる表示制御手段、
前記履歴図に表示された履歴情報のうち所望の履歴情報をユーザ操作に基づいて選択する選択手段、
前記選択手段により選択された前記履歴情報に基づいて該履歴情報と同一又は類似する履歴情報を有する他の人員を検索する検索手段、
として機能させるためのプログラム。
【発明の詳細な説明】
【技術分野】
【０００１】
本発明は、情報処理装置及びプログラムに関する。
【背景技術】
【０００２】
従来、会社等の団体に所属する人員（社員）の履歴情報をコンピュータに記憶させて管理することが知られており、各社員の履歴情報を履歴図として一覧表示して社員の履歴を把握することが知られている（例えば、特許文献１参照）。
【先行技術文献】
【特許文献】
【０００３】
【特許文献１】特開２０１１−２１０００４号公報
【発明の概要】
【発明が解決しようとする課題】
【０００４】
しかしながら、社員の履歴図を見ながら、当該社員と同一又は類似した履歴情報を有する他の社員の履歴情報を見たい場合、当該履歴図からは直接見ることはできず、例えば、別の検索画面等で検索条件を入力しなければならず、作業が煩雑である。
【０００５】
本発明の課題は、人員に係る履歴情報を時系列に従って配置した履歴図に表示された履歴情報のうちユーザ操作により選択された所望の履歴情報と同一又は類似した履歴情報を有する人員を容易に検索することである。
【課題を解決するための手段】
【０００６】
上記課題を解決するため、本発明の情報処理装置は、人員に係る履歴情報を時系列に従って配置した履歴図を表示部に表示させる表示制御手段と、前記履歴図に表示された履歴情報のうち所望の履歴情報をユーザ操作に基づいて選択する選択手段と、前記選択手段により選択された前記履歴情報に基づいて該履歴情報と同一又は類似する履歴情報を有する他の人員を検索する検索手段と、を備える。
【発明の効果】
【０００７】
本発明によれば、人員に係る履歴情報を時系列に従って配置した履歴図に表示された履歴情報のうちユーザ操作により選択された所望の履歴情報と同一又は類似した履歴情報を有する人員を容易に検索することができる。
【図面の簡単な説明】
【０００８】
【図１】本発明に係る一実施形態である情報処理装置の主要構成を示すブロック図である。
【図２】基本情報ＴＢＬに格納された記憶内容の一例を示す説明図である。
【図３】履歴情報ＴＢＬに格納された記憶内容の一例を示す説明図である。
【図４】履歴情報条件ＴＢＬに格納された記憶内容の一例を示す説明図である。
【図５】履歴図の表示画面の一例を示す説明図である。
【図６】履歴検索についての情報処理の流れを示すフローチャートである。
【図７】履歴検索を行う履歴情報を選択する一例を示す説明である。
【図８】履歴検索を行う履歴情報を選択する一例を示す説明である。
【図９】履歴検索を行う履歴情報を選択する一例を示す説明である。
【図１０】履歴検索を行う履歴情報を選択する一例を示す説明である。
【図１１】（ａ）単一の検索条件が設定された検索結果（ｂ）複数の検索条件が設定された検索結果の一例を示す説明図である。
【発明を実施するための形態】
【０００９】
以下に、本発明について、図面を用いて具体的な態様を説明する。ただし、発明の範囲は、図示例に限定されない。
【００１０】
情報処理装置１は、例えば、一の企業に所属する各社員の履歴情報２６を、図５に示すような履歴図２０として一覧表示する装置である。図１に示すように、情報処理装置１は、表示制御手段、検索手段としてのＣＰＵ（Central Processing Unit）１１と、複数の操作キーを有する選択手段としての操作部１２と、ＣＰＵ１１に作業用のメモリ空間を提供するＲＡＭ（Random Access Memory）１３と、表示部１４と、ＣＰＵ１１が実行するプログラムや制御データを格納した記憶部１５と、通信部１６とを備える。また、バス１７は、ＣＰＵ１１、操作部１２、ＲＡＭ１３、表示部１４、記憶部１５及び通信部１６をそれぞれ接続している。
【００１１】
ＣＰＵ１１は、記憶部１５に記憶されているシステムプログラムを読み出し、ＲＡＭ１３のワークエリアに展開し、このプログラムに従って各部を制御する。また、ＣＰＵ１１は、記憶部１５に記憶されている各種処理プログラムを読み出してワークエリアに展開し、情報表示処理を実行する。
【００１２】
操作部１２は、カーソルキー、文字、数字入力キー及び各種機能キー等を備えたキーボードを含む構成とし、操作者による各キーの押下入力を受け付けてその操作情報をＣＰＵ１１に出力する。また、操作部１２は、マウス等のポインティングデバイスを含み、位置入力を受け付けて操作情報としてＣＰＵ１１に出力する。
なお、操作部１２には、タッチパネル等の操作装置も適用することができ、入力操作ができるものであればいずれでもよい。
【００１３】
ＲＡＭ１３は、揮発性のメモリである。また、ＲＡＭ１３は、実行されるプログラムやこれらプログラムに係るデータ等を格納するワークエリアを有する。
【００１４】
表示部１４は、ＬＣＤ（Liquid Crystal Display）等で構成され、ＣＰＵ１１から入力される表示情報に応じて各種表示を行う。
【００１５】
記憶部１５は、磁気記録媒体を有するＨＤＤ（Hard Disk Drive）、不揮発性の半導体メモリ等により構成される。
記憶部１５には、プログラム記憶部１５Ａが設けられている。このプログラム記憶部１５Ａには、ＣＰＵ１１で実行されるシステムプログラム、各種の処理プログラム等のプログラム及びこれらのプログラムの実行に必要な各種データ等が記憶されている。これらのプログラムは、コンピュータ読み取り可能なプログラムコードの形態でプログラム記憶部１５Ａに格納されている。ＣＰＵ１１は、当該プログラムコードに従った動作を逐次実行する。
処理プログラムとしては、検索制御プログラム１５１が記憶されている。
【００１６】
また、記憶部１５には、情報ＤＢ３０が記憶されている。この情報ＤＢ３０には、基本情報ＴＢＬ４０Ａと、履歴情報ＴＢＬ４０Ｂと、履歴情報条件４０Ｃと、が記憶されている。
【００１７】
通信部１６は、モデム、ルータ、ネットワークカード等により構成され、通信ネットワークに接続されて、通信ネットワーク上のクライアント端末との通信を行う。通信ネットワークは、専用線や既存の一般公衆回線を利用して構築された通信ネットワークであり、ＬＡＮ（Local Area Network）やＷＡＮ（Wide Area Network）等の様々な回線形態を適用することが可能である。また、通信ネットワークには、例えば、電話回線網、ＩＳＤＮ回線網、専用線、移動体通信、通信衛星回線、ＣＡＴＶ回線網等の各種通信ネットワーク網と、ＩＰネットワーク、ＶｏＩＰ（Voice over Internet Protocol）ゲートウェイ、インターネットサービスプロバイダ等が含まれる。
【００１８】
図２に示すように、基本情報ＴＢＬ４０Ａは、社員の基礎的な情報が格納された情報テーブルである。
基本情報ＴＢＬ４０Ａには、社員特定情報４１と、社員付帯情報４２と、が格納されている。
社員特定情報４１には、社員番号４１１と、氏名４１２とが格納されている。
社員付帯情報４２には、性別４２１と、生年月日４２２と、入社日４２３とが格納されている。
【００１９】
図３に示すように、履歴情報ＴＢＬ４０Ｂは、社員の履歴に関する情報を履歴図２０に表示する内容が格納された情報テーブルである。
履歴情報ＴＢＬ４０Ｂには、社員番号４１１と、期間情報４３と、表示情報４４と、が格納されている。
期間情報４３には、社員の各履歴の開始年月日４３１と、終了年月日４３２とが格納されている。
表示情報４４には、各履歴の内容として管理コード４４１と、管理名４４２と、表示値４４３とが格納されている。
表示値４４３は、表示部１４に表示される履歴図２０の履歴情報表示領域２０２に表示される情報が格納されている。なお、表示される情報としては、例えば、発令については、会社、事業所、所属、役職、職級等について情報が格納されている。申請については、社員居住、通勤経路、家族構成等について情報が格納されている。事務・業務については、社会保険、住民税等について情報が格納されている。
【００２０】
図４に示すように、履歴情報条件ＴＢＬ４０Ｃは、社員の履歴情報２６及び履歴を検索する際に用いられる検索に関する情報が格納された情報テーブルである。
履歴情報条件ＴＢＬ４０Ｃには、社員番号４１１と、期間情報４３と、条件情報４５と、が格納されている。
期間情報４３には、開始年月日４３１と、終了年月日４３２と、が格納されている。
条件情報４５には、項目コード４５１と、項目名４５２と、コード値４５３と、名称値４５４と、条件値４５５と、が格納されている。
項目コード４５１及び項目名４５２は、図３の管理コード４４１及び管理名４４２にそれぞれ対応している。例えば、管理コード４４１が「１００６０００」、管理名４４２が「職級」に関する履歴情報２６（図３中の符号Ｈ）について検索を行う場合、項目コード４５１が「１００６００１−１００６００３」に該当する情報に対応している（図４中の箇所Ｐ）。そして、当該項目コード４５１に関する項目名４５２が「職級名」、「滞留年数」、「入社年度」であり、これらに該当する名称値４５４が検索項目２８２として用いられる。これらの名称値４５４は、検索項目２８２に対応する履歴内容２６２が検索項目２８２として検索部２８ａに表示されるものである。具体的には、項目名４５２が「職級名」、「滞留年数」、「入社年度」であり、これらの項目に該当する履歴内容２６２が「Ｇ１−２」、「滞留年数４年」、「２００５年度入社」である。これらの履歴内容２６２が検索項目２８２として検索部２８ａに表示されることとなる。
条件値４５５は、検索項目２８２に対してどのような条件を満たす場合に検索抽出すべきかを決定する条件である。例えば、箇所Ｐにおいて、「＝Ｇ１−２」となっているのは、職級が同じ「Ｇ１−２」である場合に検索抽出することを意味する。また、項目名４５２が「通勤時間」に関する条件値４５５では、「＜＝１５」又は「＜＝７０」となっている。これらは通勤時間が１５分以下又は７０分以下である場合に検索抽出することを意味する。
なお、基本情報ＴＢＬ４０Ａ、履歴情報ＴＢＬ４０Ｂ及び履歴情報条件ＴＢＬ４０Ｃは、情報が変更、追加された時点で随時更新される。
【００２１】
図５に示すように、表示部１４に表示される社員の履歴図２０は、上部に社員に関する基本情報が表示される基本情報表示領域２０１、中央部に管理項目ごとの履歴情報２６が表示される履歴情報表示領域２０２、下部に履歴情報２６に同一又は類似した履歴情報２６を有する他の社員を検索するための検索領域２８が設けられている。
【００２２】
基本情報表示領域２０１には、基本情報として、本籍会社、所属会社、事業所、社員番号、氏名、性別、生年月日、年齢が表示される。
履歴情報表示領域２０２には、履歴情報２６の管理項目が縦軸２１に配置され、過去から未来へ亘る時間軸が横軸２２に配置されている。
縦軸２１は、３つの属性に大別されており、具体的には、会社から社員に下される発令２１１と、社員から会社に申告する申請２１２と、人事が取り扱う事務・業務２１３とに分けられている。
【００２３】
発令２１１には、会社、事業所、所属、役職、職級が、履歴情報２６の管理項目として表示されている。申請２１２には、社員住居、通勤経路、家族構成が、履歴情報２６の管理項目として表示されている。事務・業務２１３には、社会保険、住民税が、履歴情報２６の管理項目として表示されている。
横軸２２には、履歴図２０の左から順に、過去２２１、現在２２２、未来２２３の時間軸が表示される。過去２２１とは、前期以前のことであり、現在２２２とは当期のことであり、未来２２３とは来期以降のことである。過去２２１の履歴情報２６については、期間のスケールを、履歴情報表示領域２０２の上部中央に設けられたスライダ２３で調整できるようになっている。具体的には、横軸２２の過去２２１の単位表示長さが、スライダ２３を左から右へとスライドさせることで、半月、１か月、２か月、３か月、４か月、５か月、１０か月、１５か月、２０か月と変更されるようになっている。
なお、スライダで調整される期間は上記期間に限られず、適宜設定してもよい。
【００２４】
また、現在２２２（今期）の履歴情報２６の右側に未来２２３の予測履歴情報２７が表示されている。これは、他の社員の履歴に関する情報の蓄積データから算出された履歴の推移率が格納されている図示しない履歴推移ＴＢＬの情報に基づいて、管理項目ごとの過去２２１及び現在２２２の履歴情報２６から可能性の高い予測履歴情報２７が予測値として表示されたものである。例えば、所属の管理項目であれば、過去の所属と現在の所属とを踏まえて、これまでの他の社員の異動実績からジョブローテーション先として可能性の高い部署を予測履歴情報２７として表示している。
【００２５】
検索領域２８は、任意の履歴情報２６を検索領域２８内に設けられた検索部２８ａにドラッグ＆ドロップすると、履歴情報条件ＴＢＬ４０Ｃの項目名４５２、コード値４５３及び名称値４５４に格納された情報に基づいて検索条件２８１が生成され、検索条件２８１に基づいて情報ＤＢ３０に記憶されている履歴情報条件ＴＢＬ４０Ｃから同一又は類似する履歴情報２６を有する他の社員を検索し、当該他の社員に係る履歴情報ＴＢＬ４０Ｂに基づいて他の社員の履歴情報２６がリストアップされる画面表示領域である。
【００２６】
なお、同一又は類似する履歴情報２６とは、選択された履歴情報２６がどれだけの検索項目２８２と一致しているかで判断することとする。例えば、検索項目２８２の全てが一致しているものを同一とし、一つの項目が一致しないものを類似とすることが挙げられる。この他に、一致率から判断することとしてもよい。例えば、一致率が１００％であれば同一、１００％未満８０％以上であれば類似した履歴情報２６として判断することが挙げられる。
また、履歴情報２６を検索部２８ａにドラッグ＆ドロップすることに限らず、例えば、履歴情報２６をダブルクリックすることとしてもよい。
更に、履歴情報２６は、社員（人員）が経験した任務情報と任務を経験した期間の長さ情報とを含み、履歴図２０は履歴情報２６のそれぞれを示す領域が期間の長さに対応した大きさで表現されている。
例えば、任務情報とは、職級情報であり、図５に示す例では、職級「Ｇ１−２」が任務情報であり、「滞留４年」が任務を経験した期間の長さ情報である。
即ち、図５に示すように、履歴図２０に表示される職級の履歴情報２６は、履歴情報２６のそれぞれを示す領域が、それぞれの職級を経験した期間の長さに対応した大きさで表示されている。
また、任務情報とは、所属情報であり、図５に示す例では、所属「国内営業部」「国内営業統轄部営業推進部」「営業企画部」がそれぞれ任務情報であり、各所属を経験した期間の長さ情報に応じて、各所属情報に対応する履歴情報２６の表示長さが、各所属を経験した期間の長さに対応した大きさで表示されている。
【００２７】
次に、本実施形態の動作について説明する。
〔履歴検索〕
図６に示すように、同一又は類似した履歴情報２６を有する他の社員を検索する情報処理は、ユーザにより操作部１２から履歴情報２６が選択されることをトリガとしてＣＰＵ１１と記憶部１５に記憶されているプログラム記憶部１５Ａに記憶された検索制御プログラム１５１との協働により実行される。
履歴検索の情報処理の流れとしては、まず、ＣＰＵ１１は、検索しようとする履歴情報２６がユーザにより操作部１２を用いて選択されたことを認識する（ステップＳ１）。選択手法としては、例えば、図７に示すように、履歴情報２６が選択されていない履歴図２０について、図８に示すように、操作部１２であるマウスポインタＭＰで検索を行いたい履歴情報２６をクリックし、図９に示すように、クリックした履歴情報２６を検索部２８ａまでドラッグしてドロップすることが挙げられる。
【００２８】
次に、ＣＰＵ１１は、情報ＤＢ３０から社員の履歴に関する情報として基本情報ＴＢＬ４０Ａと、履歴情報ＴＢＬ４０Ｂと、履歴情報条件ＴＢＬ４０Ｃと、を取得する（ステップＳ２）。
次に、ＣＰＵ１１は、ユーザが選択した履歴情報２６が属する管理項目が何であるかを認識する（ステップＳ３１）。ＣＰＵ１１は、例えば、図８に示すように、マウスポインタＭＰでクリックした履歴情報２６が選択されると、当該履歴情報２６が管理項目「職級」に属していると認識する。
ＣＰＵ１１は、認識した管理項目に該当する検索項目２８２を履歴情報条件ＴＢＬ４０Ｃから生成する（ステップＳ３２）。例えば、管理項目「職級」、履歴の始期「２０１１年４月１日」、履歴内容２６２が「０４/０１  Ｇ１−２  ［滞留４年］」である履歴情報２６が選択された場合は、履歴情報条件ＴＢＬ４０Ｃから検索項目２８２として、職級の「Ｇ１−２」、滞留年数の「滞留４年」、入社年度の「２００５年度入社」を生成するようになっている。そして、ＣＰＵ１１は、生成した検索項目２８２を検索条件２８１として検索部２８ａに表示する（ステップＳ３３）。
【００２９】
次に、ユーザが検索部２８ａに表示された検索条件２８１から検索したい検索項目２８２を選択して検索条件２８１を設定する。そして、ＣＰＵ１１は、ユーザが検索ボタン２８３をクリックして検索開始を指示すると、ユーザが設定した検索条件２８１を認識する（ステップＳ４）。検索項目２８２の選択手法としては、例えば、図１０に示すように、検索項目２８２ごとにトグルボタン２８２ａを設けてマウスポインタＭＰで選択するかしないかを選択することが挙げられる。
ＣＰＵ１１は、検索条件２８１を認識すると、複数の検索条件２８１が選択（検索する履歴情報２６が複数選択）されたという第１条件に当てはまるかどうかを判別する（ステップＳ５１）。ＣＰＵ１１は、第１条件に当てはまらない場合（ステップＳ５１；ＮＯ）、選択された検索項目２８２の積集合に該当する履歴情報２６を有する他の社員を検索する（ステップＳ６３）。
【００３０】
ＣＰＵ１１は、第１条件に当てはまる場合（ステップＳ５１；ＹＥＳ）、複数の検索条件２８１について積集合が選択されたという第２条件に当てはまるかどうかを判別する（ステップＳ５２）。積集合の選択手法としては、例えば、図１１（ｂ）に示すように、検索部２８ａにラジオボタンのＡＮＤ−ＯＲ選択部２８６を設け、「ＡＮＤ」のラジオボタンを選択することで積集合を選択することが挙げられる。
ＣＰＵ１１は、第２条件に当てはまらない場合（ステップＳ５２；ＮＯ）、複数の検索条件２８１について和集合に該当する履歴情報２６を有する他の社員を検索する（ステップＳ６２）。
ＣＰＵ１１は、第２条件に当てはまる場合（ステップＳ５２；ＹＥＳ）、複数の検索条件２８１について積集合に該当する履歴情報２６を有する他の社員を検索する（ステップＳ６１）。
最後に、図１１に示すように、ＣＰＵ１１は、ステップＳ６１、ステップＳ６２及びステップＳ６３において、履歴情報条件ＴＢＬ４０Ｃから検索された他の社員の履歴情報２６を履歴情報ＴＢＬ４０Ｂに基づいて検索結果２８４として検索領域２８に表示する（ステップＳ７）。
【００３１】
図８〜図１０に示すように、ＣＰＵ１１は、ユーザが履歴図２０の管理項目「職級」に関する履歴情報２６をクリック（図８参照）して検索部２８ａまでドラッグしてドロップ（図９参照）することで、管理項目「職級」に関する検索項目２８２が履歴情報条件ＴＢＬ４０Ｃから生成され、生成された検索項目２８２を含む検索条件２８１が検索部２８ａに表示（図１０参照）される。具体的には、検索項目２８２として「Ｇ１−２」、「滞留４年」、「２００５年度入社」が表示される。
【００３２】
次に、ユーザは、表示された検索項目２８２から検索したい検索項目２８２のトグルボタン２８２ａをマウスポインタＭＰでクリックすることにより選択する。具体的には、図１０に示すように、表示された検索項目２８２には、左側にトグルボタン２８２ａがあり、それぞれの検索項目２８２を検索条件２８１に含めるか含めないかを選択できるようになっている。例えば、「Ｇ１−２」を選択すると、同じ職級である他の社員を検索し、「滞留４年」を選択すると、滞留年数が４年の他の社員を検索し、「２００５年度入社」を選択すると、２００５年度に入社した他の社員を検索する。図中では、３つの検索項目２８２のうち、「Ｇ１−２」の検索項目２８２がマウスポインタＭＰで選択されようとしている。
【００３３】
次に、図１１（ａ）に示すように、ＣＰＵ１１は、検索項目２８２を選択して設定された検索条件２８１について、同一又は類似する他の社員を検索する。検索を開始するには、検索部２８ａの右側に表示される検索ボタン２８３をクリックする。検索には、選択された検索項目２８２の全てに該当する社員が検索結果２８４として表示される。すなわち、検索項目２８２の積集合「ＡＮＤ」に該当する社員が検索結果２８４として表示されるようになっている。
そして、検索された検索結果２８４は、検索部２８ａの下方に表示される。具体的には、社員番号、氏名、検索条件２８１に該当する履歴情報２６が表示される。また、検索結果２８４は、社員の性別が配色等によって区別できるように表示されてもよい。
図中では、３人の社員が検索されている。いずれの社員も職級が「Ｇ１−２」であり、滞留年数が４年である。また、それぞれの社員の今後の予測履歴情報２７「Ｇ２」が履歴情報２６と合わせて表示されている。
検索結果２８４から任意の社員の履歴情報２６について詳細を閲覧したい場合は、各社員の社員番号の左側に表示された詳細ボタン２８５をクリックすることで、その詳細を閲覧できるようになっている。
【００３４】
図８〜図１０及び図１１（ａ）では、検索する履歴情報２６を１つだけ選択する場合について説明したが、検索する履歴情報２６を複数選択した場合についても説明する。
複数選択する場合として、例えば、履歴図２０の「職級」に関する履歴情報２６を検索部２８ａまでドラッグしてドロップし、更に、「家族構成」に関する履歴情報２６を検索部２８ａまでドラッグしてドロップすることが挙げられる。この場合、図１１（ｂ）に示すように、検索部２８ａには、「職級」及び「家族構成」に関する検索項目２８２が生成され、生成された検索項目２８２を含む検索条件２８１が検索部２８ａにそれぞれ表示される。
ユーザは、それぞれの検索条件２８１の検索項目２８２についてトグルボタン２８２ａを用いて選択する。更に、ユーザは、２つの検索条件２８１について積集合として検索するか和集合として検索するかをＡＮＤ−ＯＲ選択部２８６により選択する。具体的には、「ＡＮＤ」、「ＯＲ」のそれぞれにラジオボタンが表示されており、いずれかのラジオボタンをマウスポインタＭＰでクリックして選択するようになっている。図中では、積集合として検索する「ＡＮＤ」が選択されている。
このように選択して設定された検索条件２８１について、検索ボタン２８３をクリックして同一又は類似する他の社員を検索する。
【００３５】
そして、図１１（ｂ）に示すように、検索条件２８１に基づいて検索された検索結果２８４は、検索条件２８１の下方に表示される。具体的には、社員番号、氏名、検索条件２８１に対応する履歴情報２６が表示される。
図中では、２人の社員が検索されている。図１１（ａ）より検索条件２８１が１つ追加され、２つの検索条件２８１について積集合を検索したことにより、検索抽出された社員が３人から２人に絞り込まれている。いずれの社員も職級が「Ｇ１−２」であり、「滞留年数が４年」であり、かつ、「２０１１年度に出生」した「扶養家族」を持つ社員である。また、それぞれの社員の今後の予測履歴情報２７（職級「Ｇ２」、家族構成「小学校」）が履歴情報２６と合わせて表示されている。
検索結果２８４から任意の社員の履歴情報２６について詳細を閲覧したい場合は、各社員の社員番号の左側に表示された詳細ボタン２８５をクリックすることで、その詳細を閲覧できるようになっている。
【００３６】
以上のように、本実施形態に係る情報処理装置１によれば、ＣＰＵ１１は、人員の履歴情報２６に基づいて履歴図２０を表示部１４に表示し、履歴図２０に表示された履歴情報２６をユーザ操作に基づいて操作部１２により選択させ、操作部１２により選択された履歴情報２６と同一又は類似する履歴情報２６を有する他の人員を検索する。
これによれば、選択した履歴情報２６と同一又は類似した履歴情報２６を有する他の社員を容易に検索することができる。
【００３７】
また、選択手段としての操作部１２は、履歴図２０に設けられた検索部２８ａに履歴情報２６をドラッグ＆ドロップすることで履歴情報２６を選択するので、履歴図２０の履歴情報表示領域２０２から容易に検索する履歴情報２６を選択でき、選択画面等を別途表示する必要がなく、画面を切り替えずに操作ができ、作業効率を向上させることができる。
【００３８】
また、本実施形態では、各々の履歴情報２６には、検索条件２８１となる１以上の検索項目２８２が設定され、操作部１２は、選択された履歴情報２６の中で更に検索項目２８２をユーザ操作に基づいて選択し、ＣＰＵ１１は、選択された検索項目２８２に基づいて検索するので、検索項目２８２の選択の組み合わせにより、一つの履歴情報２６について、幾通りもの検索を行うことができる。
【００３９】
また、ＣＰＵ１１は、検索された検索結果２８４を含む履歴図２０を表示部１４に表示させるので、検索結果２８４を視認することができる。
【００４０】
また、ＣＰＵ１１は、複数の履歴情報２６が選択されると、複数の検索条件２８１を生成し、生成された複数の検索条件２８１に基づいて、複数の履歴情報２６と同一又は類似する履歴情報２６を有する他の人員を検索するので、複数の履歴情報２６について同一又は類似する履歴情報２６を有する他の社員を検索することができる。
【００４１】
また、操作部１２は、ＣＰＵ１１により複数の検索条件２８１が生成された場合、これらの検索条件２８１に係る積集合を検索するか、和集合を検索するかをユーザ操作に基づいて選択するので、複数の検索条件２８１について、全てが同一である他の社員又は一部が同一又は類似する他の社員を検索することができ、検索のバリエーションを増やすことができる。
【００４２】
また、履歴情報２６は人員が経験した任務情報と任務を経験した期間の長さ情報とを含み、履歴図２０は履歴情報２６のそれぞれを示す領域が期間の長さに対応した大きさで表現されているので、期間の長い履歴情報２６が履歴図２０において大きく表示することができる。
【００４３】
また、本実施形態においては、情報処理装置１をスタンドアローンの装置として説明したが、情報処理装置１は、ＬＡＮ、インターネットに接続された複数の装置により構成されることとしてもよい。例えば、情報処理装置１は、操作部１２や表示部１４等のユーザインターフェースを備える端末と、記憶部１５を備える記憶装置と、表示制御手段等を備えるサーバと、により構成されることとしてもよい。
【００４４】
また、本実施形態においては、履歴図２０を表示部１４に表示することとしたが、これに限らず、例えば、プリンタから印刷出力することとしてもよい。
【００４５】
また、本実施形態において、情報処理装置１は、会社に所属する社員である人物の履歴情報２６を管理する装置として説明したが、情報処理装置１は、この構成に限定されるものではなく、任意の組織、グループに所属する構成員の人材情報を管理する構成としてもよい。
すなわち、「社員」とは、会社に所属する社員に限定されるものではなく、組織、グループに所属する構成員等の人物を含むものとする。
【００４６】
その他、情報処理装置１を構成する各装置の細部構成及び細部動作に関しても、発明の趣旨を逸脱することのない範囲で適宜変更可能である。
【００４７】
本発明の実施形態を説明したが、本発明の範囲は上述の実施の形態に限定するものではなく、特許請求の範囲に記載された発明とその均等の範囲に含まれる。以下に、本願出願の当初の特許請求の範囲に記載された発明を付記する。
［付記］
＜請求項１＞
人員に係る履歴情報を時系列に従って配置した履歴図を表示部に表示させる表示制御手段と、
前記履歴図に表示された履歴情報のうち所望の履歴情報をユーザ操作に基づいて選択する選択手段と、
前記選択手段により選択された前記履歴情報に基づいて該履歴情報と同一又は類似する履歴情報を有する他の人員を検索する検索手段と、
を備える情報処理装置。
＜請求項２＞
前記選択手段は、前記履歴図に設けられた検索領域に前記履歴情報をドラッグ＆ドロップすることで前記履歴情報を選択する請求項１に記載の情報処理装置。
＜請求項３＞
各々の履歴情報には、検索条件となる１以上の検索項目が設定され、
前記選択手段は、選択された前記履歴情報の中で更に検索項目をユーザ操作に基づいて選択し、
前記検索手段は、選択された前記検索項目に基づいて検索する請求項１又は２に記載の情報処理装置。
＜請求項４＞
前記表示制御手段は、前記検索手段により検索された検索結果を含む履歴図を前記表示部に表示させる請求項１から３のいずれか一項に記載の情報処理装置。
＜請求項５＞
前記検索手段は、複数の前記履歴情報が選択されると、複数の検索条件を生成し、生成された複数の検索条件に基づいて、複数の前記履歴情報と同一又は類似する履歴情報を有する他の人員を検索する請求項１から４のいずれか一項に記載の情報処理装置。
＜請求項６＞
前記選択手段は、前記検索手段により複数の検索条件が生成された場合、これらの検索条件に係る積集合を検索するか、和集合を検索するかをユーザ操作に基づいて選択する請求項５に記載の情報処理装置。
＜請求項７＞
前記履歴情報は人員が経験した任務情報と任務を経験した期間の長さ情報とを含み、
前記履歴図は前記履歴情報のそれぞれを示す領域が前記期間の長さに対応した大きさで表現されていることを特徴とする請求項１から６のいずれか一項に記載の情報処理装置。
＜請求項８＞
コンピュータを、
人員に係る履歴情報を時系列に従って配置した履歴図を表示部に表示させる表示制御手段、
前記履歴図に表示された履歴情報のうち所望の履歴情報をユーザ操作に基づいて選択する選択手段、
前記選択手段により選択された前記履歴情報に基づいて該履歴情報と同一又は類似する履歴情報を有する他の人員を検索する検索手段、
として機能させるためのプログラム。
【符号の説明】
【００４８】
１     情報処理装置
１１   ＣＰＵ
１２   操作部
１４   表示部
１５   記憶部
１５Ａ プログラム記憶部
２０   履歴図
２６   履歴情報
２８   検索領域
１５１ 検索制御プログラム
２８１ 検索条件
２８２ 検索項目
２８４ 検索結果
【図１】
2018022254.tif 000003
【図２】
2018022254.tif 000004
【図３】
2018022254.tif 000005
【図４】
2018022254.tif 000006
【図５】
2018022254.tif 000007
【図６】
2018022254.tif 000008
【図７】
2018022254.tif 000009
【図８】
2018022254.tif 000010
【図９】
2018022254.tif 000011
【図１０】
2018022254.tif 000012
【図１１】
2018022254.tif 000013